(57)【要約】【課題】ハウジングへのカバーの強固な組み付けと、ハウジングからのカバーの容易な分離と、を両立可能なコネクタの提供。【解決手段】ハウジングに対してスライドしながら装着されるカバー２０は、連結部２２によって繋がれた一対の板状部２１に挟まれる空間２４に電線を導入する入口部２６と、導入した電線を導出する出口部２８と、を一対の板状部２１の周縁部分に画成する。カバー２０は、装着時と逆向きのスライドを規制する第１係止部３３と、装着後に一対の板状部２１の間の距離が広がることを規制する第２係止部３５と、を有する。第１係止部３３は、装着時にハウジングの外壁面よりも外側に位置する箇所に設けられ、第２係止部３５は、第１係止部よりも出口部に近い箇所に設けられる。【選択図】図３
2019009007.tif 000002
【特許請求の範囲】
【請求項１】
一又は複数の電線を保持可能なハウジングと、前記ハウジングの端部に対してスライドしながら装着されると共に前記端部から延びる電線を所定向きに案内する空間を内部に画成するカバーと、を備えたコネクタであって、
前記カバーは、
一対の板状部及び前記一対の板状部を繋ぐ連結部を有し、前記一対の板状部に挟まれる前記空間に前記電線を導入する入口部と、導入した前記電線を前記所定向きに案内しながら導出する出口部と、を前記一対の板状部の周縁部分に画成し、前記ハウジングに係合して装着時と逆向きのスライドを規制する第１係止部と、前記ハウジングに係合して装着後に前記一対の板状部の間の距離が広がることを規制する第２係止部と、を有し、
前記第１係止部は、
装着時に前記ハウジングの外壁面よりも外側に位置する箇所に設けられ、
前記第２係止部は、
前記第１係止部よりも前記出口部に近い箇所に設けられる、
コネクタ。
【請求項２】
請求項１に記載のコネクタにおいて、
前記カバーが、
前記第１係止部と前記第２係止部との間の箇所に、前記板状部の縁から延びるスリット形状の開口部を有する、
コネクタ。
【請求項３】
請求項２に記載のコネクタにおいて、
前記第１係止部が、
前記開口部に隣接するように前記板状部に設けられた、
コネクタ。
【請求項４】
請求項３に記載のコネクタにおいて、
前記カバーが、
前記開口部を挟んで前記第１係止部と反対側の所定箇所に、該カバーと前記ハウジングの外壁面との間の隙間を小さくするように該カバーの内壁面に設けられた突起部を有する、
コネクタ。
【発明の詳細な説明】
【技術分野】
【０００１】
本発明は、一又は複数の電線を保持可能なハウジングと、ハウジングに対してスライドしながら装着されると共にハウジングの端部から延びる電線を所定向きに案内する空間を内部に画成するカバーと、を備えたコネクタ、に関する。
【背景技術】
【０００２】
従来から、電線を保持可能なハウジングと、電線の保護および電線の配索方向の規制等を目的としたカバーと、を備えたコネクタが提案されている。例えば、従来のコネクタの一つは、ハウジングへのカバーの組み付けを円滑に行うべく、カバーがハウジングに対して待機位置と取付位置との間をスライドしながら往復可能であるように構成されている（例えば、特許文献１を参照。）。
【先行技術文献】
【特許文献】
【０００３】
【特許文献１】特開２０１１−１９８５１６号公報
【特許文献２】特開２００２−３５２８９７号公報
【発明の概要】
【発明が解決しようとする課題】
【０００４】
ところで、ハウジングに組み付けられたカバーが意図せずハウジングから分離することを防ぐべく、カバーをハウジングに係止するための係止構造を有するコネクタも提案されている（例えば、特許文献２を参照。）。しかし、このような係止構造を有する場合、カバーをハウジングに一旦組み付けると、メンテナンス等の理由からカバーをハウジングから分離する際、分離作業が煩雑となる可能性がある。換言すると、ハウジングへカバーを強固に組み付けると、ハウジングからカバーを容易に分離できない可能性がある。
【０００５】
本発明は、上述した事情に鑑みてなされたものであり、その目的は、ハウジングへのカバーの強固な組み付けと、ハウジングからのカバーの容易な分離と、を両立可能なコネクタ、を提供することにある。
【課題を解決するための手段】
【０００６】
前述した目的を達成するために、本発明に係るコネクタは、下記（１）〜（４）を特徴としている。
（１）
一又は複数の電線を保持可能なハウジングと、前記ハウジングの端部に対してスライドしながら装着されると共に前記端部から延びる電線を所定向きに案内する空間を内部に画成するカバーと、を備えたコネクタであって、
前記カバーは、
一対の板状部及び前記一対の板状部を繋ぐ連結部を有し、前記一対の板状部に挟まれる前記空間に前記電線を導入する入口部と、導入した前記電線を前記所定向きに案内しながら導出する出口部と、を前記一対の板状部の周縁部分に画成し、前記ハウジングに係合して装着時と逆向きのスライドを規制する第１係止部と、前記ハウジングに係合して装着後に前記一対の板状部の間の距離が広がることを規制する第２係止部と、を有し、
前記第１係止部は、
装着時に前記ハウジングの外壁面よりも外側に位置する箇所に設けられ、
前記第２係止部は、
前記第１係止部よりも前記出口部に近い箇所に設けられる、
コネクタであること。
（２）
上記（１）に記載のコネクタにおいて、
前記カバーが、
前記第１係止部と前記第２係止部との間の箇所に、前記板状部の縁から延びるスリット形状の開口部を有する、
コネクタであること。
（３）
上記（２）に記載のコネクタにおいて、
前記第１係止部が、
前記開口部に隣接するように前記板状部に設けられた、
コネクタであること。
（４）
上記（３）に記載のコネクタにおいて、
前記カバーが、
前記開口部を挟んで前記第１係止部と反対側の所定箇所に、該カバーと前記ハウジングの外壁面との間の隙間を小さくするように該カバーの内壁面に設けられた突起部を有する、
コネクタであること。
【０００７】
上記（１）の構成のコネクタによれば、ハウジングの端部から電線が延びており、この端部に対してスライドしながら装着（係止）されたカバーは、第１係止部によって逆向きのスライドが規制された状態であり、且つ、第２係止部によって一対の板状部の間の距離が広がることが規制された状態となっている。更に、装着時において、第１係止部がハウジングの外壁面よりも外側に位置する。そのため、例えば、第１係止部とハウジングとの係合を解除するために第１係止部を操作するとき（例えば、係合を解除するための治具を第１係止部に押し当てるとき）、第１係止部がハウジングの外壁面より内側に位置する場合に比べ、その操作が容易になる。また、例えば、係止および解除の際に第１係止部がハウジングに対して動く場合、その動きがハウジングに妨げられ難い。加えて、第２係止部が、第１係止部よりも出口部に近い位置に設けられる。そのため、電線の配索時などにおいて、出口部を通過する電線によって出口部が広がる（即ち、一対の板状部の間の距離が広がる）向きの外力をカバーが受けても、第２係止部によってその広がりが規制されるため、第１係止部とハウジングとの係合が意図せず解除されること（その結果、装着時と逆向きのスライドが生じること）を防止できる。
【０００８】
したがって、本構成のコネクタは、ハウジングへのカバーの強固な組み付けと、ハウジングからのカバーの容易な分離と、を両立可能である。
【０００９】
上記（２）の構成のコネクタによれば、スリット形状の開口部を挟むように第１係止部と第２係止部とが配置されることになる。そのため、例えば、出口部を通過する電線によって出口部が広がる（即ち、一対の板状部の間の距離が広がる）向きの外力をカバーが受けることに起因して第２係止部の周辺において一対の板状部の間の距離が変化しても、その変化はスリット形状の開口部によって吸収され得るため、その変化が第１係止部に及び難い。よって、本構成のコネクタは、第１係止部とハウジングとの係合が意図せず解除されることを更に確実に防止できる。
【００１０】
上記（３）の構成のコネクタによれば、例えば、カバーの開口部に解除用の治具を挿入して第１係止部とハウジングとの係合を解除する場合、その治具が第１係止部に届き易い。よって、本構成のコネクタは、開口部と第１係止部とが離れている場合に比べ、ハウジングからカバーを分離する作業が容易になる。
【００１１】
上記（４）の構成のコネクタによれば、例えば、カバーの開口部に解除用の治具を挿入して第１係止部とハウジングとの係合を解除する場合（例えば、図８を参照）、突起部が存在する側の開口部の縁（ふち）に治具の一側面を支持させながら、この縁を支点として第１係止部がハウジングから離れる向きに治具を回転させれば、突起部がハウジングの外壁面に押し付けられると共に、いわゆる梃子の原理によって第１係止部に大きな外力を及ぼすことができる。これにより、第１係止部とハウジングとの係合を容易に解除できる。よって、本構成のコネクタは、そのような突起部が存在しない場合に比べ、より容易に第１係止部とハウジングとの係合を解除できる。
【発明の効果】
【００１２】
本発明によれば、ハウジングへのカバーの強固な組み付けと、ハウジングからのカバーの容易な分離と、を両立可能なコネクタを提供できる。
【００１３】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１４】
【図１】図１（ａ）は、本発明の実施形態に係るコネクタを後方からみた斜視図である。
【図２】図２（ａ）は、図１に示すハウジングを後方からみた斜視図であり、図２（ｂ）は、図１に示すハウジングを前方からみた斜視図である。
【図３】図３（ａ）は、図１に示すカバーを後方からみた斜視図であり、図３（ｂ）は、図１に示すカバーを前方からみた斜視図であり、図３（ｃ）は、図３（ｂ）のＺ部の拡大図である。
【図４】図４（ａ）は、カバーのハウジングへの取り付け開始時における上面図であり、図４（ｂ）は、図４（ａ）のＡ−Ａ断面図である。
【図５】図５（ａ）は、カバーのハウジングへの取り付け完了時における上面図であり、図５（ｂ）は、図５（ａ）のＢ−Ｂ断面図である。
【図６】図６は、図５（ａ）のＣ−Ｃ断面図である。
【図７】図７は、カバー取り外し用の治具を用いてハウジングからカバーを取り外す際の様子を示す斜視図である。
【図８】図８（ａ）は、カバー取り外し用の治具を用いてハウジングからカバーを取り外す際の様子を示す上面図であり、図８（ｂ）は、図８（ａ）のＤ−Ｄ断面図である。
【発明を実施するための形態】
【００１５】
＜実施形態＞
以下、図面を参照しながら、本発明の実施形態に係るコネクタ１について説明する。
【００１６】
図１に示すように、コネクタ１は、ハウジング１０と、ハウジング１０に装着されるカバー２０と、を備える。以下、説明の便宜上、図１に示すように、「前後方向」、「幅方向」、「上下方向」、「前」、「後」、「上」、「下」、「導出側」及び「閉鎖側」を定義する。「前後方向」、「幅方向」及び「上下方向」は、互いに直交している。
【００１７】
カバー２０は、ハウジング１０の端部（具体的には、後端面）から後側に延びる電線束Ｗを覆って保護すると共に、その電線束Ｗを導出側へ屈曲させて導出側方向に案内するための部材である。ハウジング１０の端部とは、電線束Ｗが引き出されているハウジング１０の側面（後端面）の近傍にあるハウジング１０の外周部分である。カバー２０は、ハウジング１０の後端部に対して閉鎖側から導出側へスライド（並行移動）させることで、ハウジング１０の後端部に装着されている。以下、図２及び図３を参照しながら、ハウジング１０、及び、カバー２０について順に説明していく。
【００１８】
図２に示すように、ハウジング１０は、樹脂製であり、幅方向に長い角筒状の本体周壁部１１を備える。本体周壁部１１の内部空間１２の後端側には、電線束Ｗのそれぞれの電線の端部に接続された複数の端子（図示省略）を収容する複数の端子収容室１３が前後方向に沿って形成されている。本体周壁部１１の前端側は開口している。この開口を介して、相手側コネクタのハウジング（図示省略）が本体周壁部１１の内部空間１２に嵌合・固定される。これにより、電線束Ｗが、相手側コネクタのハウジングに収容された端子に接続されている電線束と電気的に接続される。
【００１９】
本体周壁部１１の上下面の後端部において幅方向に延びる上側を向いた面及び下側を向いた面（１４）は、カバー２０の取り付け時にカバー２０をガイドするための一対の第１ガイド面１４として機能する。また、本体周壁部１１の上下面の後端側寄りの位置から上下方向外側にそれぞれ隆起する部分によって形成された、幅方向に延びる後側を向いた一対の面（１５）は、カバー２０の取り付け時にカバー２０をガイドするための一対の第２ガイド面１５として機能する。
【００２０】
幅方向に延びる各第１ガイド面１４において、閉鎖側寄りの位置には上下方向外側へ突出する第１突起１６が形成され、導出側寄りの位置には上下方向外側へ突出する第２突起１７が形成されている。即ち、第１突起１６及び第２突起１７は、幅方向に間隔を空けて並ぶように形成されている。後述するように、第１突起１６及び第２突起１７は、取り付け後のカバー２０の後方側への外れを防止するために機能する。また、第１突起１６は、取り付け後のカバー２０の閉鎖側への抜けを防止するためにも機能する。
【００２１】
幅方向に延びる各第２ガイド面１５の導出側端部には、後方側へ突出すると共に幅方向に延びるリブ１８が形成されている。また、本体周壁部１１の閉鎖側の側面の後端部には、閉鎖側へ突出する第３突起１９が形成されている。後述するように、一対のリブ１８は、取り付け後のカバー２０の上下方向外側への開きを防止するために機能し、第３突起１９は、取り付け後のカバー２０の後方側への外れを防止するために機能する。
【００２２】
図３に示すように、カバー２０は、樹脂製であり、上下方向に間隔を空けて対向する一対の板状部２１と、一対の板状部２１の後端側同士を繋ぐ連結部２２と、一対の板状部２１及び連結部２２の閉鎖側に連続して閉鎖側を塞ぐ閉鎖板部２３と、を備える。一対の板状部２１と、連結部２２と、閉鎖板部２３とで画成された空間２４は、電線束Ｗ（図１を参照）を収容・案内するための空間である。
【００２３】
一対の板状部２１の幅方向に延びる一対の前端面２５の間の開口は、空間２４に電線束Ｗを導入する入口部２６として機能する。一対の板状部２１の前後方向に延びる一対の導出側端面２７の間の開口は、入口部２６から導入した電線束Ｗを導出側方向に案内しながら導出する出口部２８として機能する。
【００２４】
一対の板状部２１の前端部において幅方向に延びる一対の内壁面２９、及び、一対の前端面２５は、それぞれ、カバー２０の取り付け時に、ハウジング１０の一対の第１ガイド面１４、及び、一対の第２ガイド面１５によって案内されるようになっている。
【００２５】
各板状部２１において、幅方向中央付近の位置には、前端面２５から後方側へ向けて所定長さだけ延びるスリット３１（貫通孔）が形成されている。各板状部２１の幅方向に延びる内壁面２９において、幅方向に所定長さだけ延びる突条３２が、スリット３１より閉鎖側のスリット３１近傍の第１位置、スリット３１より導出側のスリット３１から少し離れた第２位置、及び、第２位置から導出側に少し離れた第３位置にそれぞれ、幅方向に間隔を空けて並ぶように形成されている。なお、スリット３１は、後述する第４突起３３と隆起部３５との間の箇所に設けられている。
【００２６】
各板状部２１の内壁面２９において、スリット３１より閉鎖側のスリット３１の近傍位置、且つ、第１位置の突条３２より後側の突条３２の近傍位置には、上下方向内側へ突出する第４突起３３が形成されている（特に、図３（ｃ）を参照）。第４突起３３は、スリット３１に隣接している。各板状部２１の内壁面２９において、スリット３１より導出側のスリット３１の近傍位置には、第１位置の突条３２と幅方向に並ぶように、上下方向内側へ突出する第５突起３４が形成されている（特に、図３（ｃ）を参照）。後述するように、突条３２は、取り付け後のカバー２０の後方側への外れを防止するために機能し、第４突起３３は、取り付け後のカバー２０の閉鎖側への抜けを防止するために機能し、第５突起３４は、治具５０（図７等を参照）を用いてカバー２０を取り外す際に作業をし易くするために機能する。なお、第５突起３４は、カバー２０とハウジング１０の外壁面との間の隙間を小さくするようにカバー２０の内壁面２９に設けられた突起部と言うこともできる。
【００２７】
各板状部２１の前端部において幅方向に延びる外壁面の導出側端部には、上下方向外側へ突出すると共に幅方向に延びる隆起部３５が形成されている。各隆起部３５の内部には、前側及び導出側に開口して幅方向に延びる溝３６が形成されている。閉鎖板部２３には、窓３７（貫通穴）が形成されている。後述するように、一対の溝３６は、取り付け後のカバー２０の上下方向外側への開きを防止するために機能し、窓３７は、取り付け後のカバー２０の後方側への外れを防止するために機能する。隆起部３５は、第４突起３３よりも出口部２８に近い箇所に設けられている。
【００２８】
各板状部２１の前端部において幅方向に延びる外壁面において、スリット３１より導出側のスリット３１の近傍部分には、スリット３１から導出側に移動するにつれて表面がより上下方向外側に位置するように傾斜する傾斜面３８が、前端面２５から後方側へ向けてスリット３１の長さより短い長さだけ延びるように形成されている。この結果、傾斜面３８の後端位置には、前側を向いた端面３９が形成されている。後述するように、傾斜面３８及び端面３９は、治具５０を用いてカバー２０を取り外す際に作業をし易くするために機能する。傾斜面３８は、板状部２１に対して、第５突起３４の裏側に位置している（図３（ｃ）を参照）。
【００２９】
各板状部２１の外壁面には、上下方向外側に突出すると共に前後方向に延びるリブ４１が、幅方向の異なる複数個所（本例では、５か所）にそれぞれ形成されている。複数のリブ４１のうちの１本（以下、特に「リブ４１ａ」とも呼ぶ。）は、幅方向における傾斜面３８より導出側の傾斜面３８の近傍部分において前後方向に延びている。リブ４１は、板状部２１の剛性を高めるために機能する。また、後述するように、リブ４１ａは、治具５０を用いてカバー２０を取り外す際に作業をし易くするためにも機能する。
【００３０】
次いで、図４〜図６を参照しながら、カバー２０をハウジング１０に取り付ける際の動作について説明する。
【００３１】
先ず、図４に示すように、ハウジング１０に対して閉鎖側にカバー２０を配置する。次いで、カバー２０の一対の内壁面２９、及び、一対の前端面２５を、それぞれ、ハウジング１０の一対の第１ガイド面１４、及び、一対の第２ガイド面１５に擦動させながら、ハウジング１０に対してカバー２０を導出側へ向けてスライド（並行移動）させていく。これにより、カバー２０の突条３２がハウジング１０の第１突起１６及び第２突起１７より前側に位置し、且つ、カバー２０の第４突起３３がハウジング１０の第１突起１６と前後方向の位置が一致する状態で、カバー２０が、第１ガイド面１４及び第２ガイド面１５に案内されながらスライドしていく。
【００３２】
カバー２０のスライドの進行に伴い、カバー２０が取り付け完了位置の近傍まで到達すると、カバー２０の第４突起３３がハウジング１０の第１突起１６に当接する。この状態で、カバー２０のスライドが更に進行すると、カバー２０の一対の板状部２１が上下方向外側へ弾性変形しながら第４突起３３が第１突起１６に乗り上げ、その後、一対の板状部２１が弾性復帰しながら第４突起３３が第１突起１６を乗り越える（第４突起３３が第１突起１６の導出側で第１突起１６と係合した状態となる）。第４突起３３が第１突起１６を乗り越えた時点で、図５に示すように、カバー２０が取り付け完了位置に到達する（取り付け完了状態）。この状態において、第４突起３３は、ハウジング１０の外壁面よりも外側に位置している。別の言い方をすると、第４突起３３は、ハウジング１０によって覆われていない。
【００３３】
第４突起３３が第１突起１６を乗り越える際、カバー２０の一対の溝３６がハウジング１０の一対のリブ１８に嵌合すると共に（図６を参照）、カバー２０の窓３７がハウジング１０の第３突起１９と係合する。
【００３４】
この結果、カバー２０の取り付け完了状態では、カバー２０の第４突起３３とハウジング１０の第１突起１６とが係合することで、カバー２０の閉鎖側への抜けが防止される。カバー２０の一対の溝３６がハウジング１０の一対のリブ１８に嵌合することで、カバー２０の一対の板状部２１の上下方向外側への開きが防止される。カバー２０の第１位置の突条３２及び第３位置の突条３２がそれぞれ、ハウジング１０の第１突起１６及び第２突起１７と係合することで、カバー２０の後方側への外れが防止される。カバー２０の窓３７がハウジング１０の第３突起１９と係合することで、カバー２０の後方側への外れが防止される。
【００３５】
以上、本発明の実施形態に係るコネクタ１によれば、カバー２０の一対の溝３６がハウジング１０の一対のリブ１８に嵌合することで上下方向外側に開き易い一対の板状部２１の導出側部分の開きが防止された部位より閉鎖側の位置にて、カバー２０の第４突起３３とハウジング１０の第１突起１６とが係合している。この結果、一対の板状部２１の第４突起３３が位置する部分の上下方向外側への開きが発生し難いので、カバー２０の閉鎖側への抜けが発生し難い。
【００３６】
また、カバー２０の一対の溝３６とハウジング１０の一対のリブ１８との嵌合位置と、カバー２０の第４突起３３とハウジング１０の第１突起１６との係合位置とが、幅方向において離れているので、一対の溝３６が一対のリブ１８に嵌合した状態にて第４突起３３が第１突起１６を乗り越える際に必要な、カバー２０の導出側への押圧力を低減することができる。
【００３７】
また、カバー２０の一対の板状部２１にスリット３１が形成され、且つ、第４突起３３がスリット３１の閉鎖側に位置し、溝３６がスリット３１の導出側に位置しているので、第４突起３３が第１突起１６を乗り越える際、一対の板状部２１の溝３６が位置する部分の上下方向外側への開きが発生し難い。このため、一対の溝３６を一対のリブ１８に嵌合させ易くなる。
【００３８】
また、カバー２０の一対の板状部２１において、スリット３１より閉鎖側の位置に第４突起３３が形成されているので、仮に、一対の板状部２１のスリット３１より導出側の部分に上下方向外側への外力が意図せずに作用したとしても、第４突起３３は上下方向外側へ開き難い。そのため、カバー２０の閉鎖側への抜けが発生し難い。
【００３９】
また、カバー２０の板状部２１において、スリット３１の近傍位置に第４突起３３が形成されているので、図７及び図８に示すように、カバー取り外し用の治具５０を用いて、カバー２０を容易にハウジング１０から取り外すことができる。以下、この点について述べる。
【００４０】
図７に示すように、治具５０は、樹脂製であり、一端側に傾斜面５１を有する。図７及び図８に示すように、この治具５０の一端側をカバー２０のスリット３１に差し込む。その際、治具５０の傾斜面５１がカバー２０の傾斜面３８と当接し、治具５０の側面がカバー２０の端面３９と当接するように、治具５０を配置する。これにより、治具５０の差し込み位置及び差し込み姿勢が安定するので、意図しない治具５０によるカバー２０の損傷を防止できる。
【００４１】
このように治具５０がスリット３１に差し込まれた状態で、図８（ｂ）に矢印で示すように、治具５０を回転させる。これにより、傾斜面５１（スリット３１の縁）を支点として治具５０が回転し、治具５０の押圧により第４突起３３が上下方向外側（ハウジング１０から離れる向き）に開くことで、第４突起３３と第１突起１６との係合が解除される。この結果、カバー２０がハウジング１０に対して閉鎖側へ移動可能となり、カバー２０をハウジング１０から取り外すことができる。
【００４２】
ここで、カバー２０の板状部２１には、傾斜面３８の裏側に第５突起３４が形成されている（図３（ｃ）を参照）。カバー２０の取り付け完了状態では、第５突起３４がハウジング１０の第１ガイド面１４と当接している。このため、治具５０を回転する際に傾斜面３８に上下方向内側への力が作用しても、傾斜面３８はハウジング１０に押し付けられて上下方向内側へ移動することがない。このため、傾斜面３８の上下方向内側への移動に起因する、治具５０の回転角度に対する第４突起３３の上下方向外側への移動量の減少が発生し難くなるので、治具５０によるカバーの取り外しが行い易くなる。更に、治具５０の回転方向前方にリブ４１が存在するため、治具５０が過度に回転して第４突起３３に過大な外力を及ぼすことを防ぐこともできる。
【００４３】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
例えば、上記実施形態では、ハウジング１０に対してカバー２０を導出側へ向けてスライド（並行移動）させることで、カバー２０をハウジング１０に対して装着しているが、ハウジング１０に対してカバー２０を前側へ向けてスライド（並行移動）させることで、カバー２０をハウジング１０に対して装着するように構成してもよい。
【００４５】
更に、上記実施形態では、第５突起３４（突起部）が、第５突起３４が設けられている箇所とは異なる箇所と比べて板状部２１の厚さが大きい箇所（肉厚な箇所）として構成されている。しかし、第５突起３４（突起部）は、必ずしもこのような肉厚な箇所である必要はない。例えば、第５突起３４（突起部）は、板状部２１の厚さが一定のまま板状部２１の一部がハウジング１０に向けて湾曲して突出した箇所（エンボス状の箇所）であってもよい。また、第５突起３４（突起部）は、板状部２１とは異なる部材をカバー２０の内壁面に貼り付けた箇所であってもよい。
【００４６】
ここで、上述した本発明に係るコネクタの実施形態の特徴をそれぞれ以下（１）〜（４）に簡潔に纏めて列記する。
（１）
一又は複数の電線を保持可能なハウジング（１０）と、前記ハウジングの端部に対してスライドしながら装着されると共に前記端部から延びる電線（Ｗ）を所定向きに案内する空間（２４）を内部に画成するカバー（２０）と、を備えたコネクタ（１）であって、
前記カバー（２０）は、
一対の板状部（２１）及び前記一対の板状部を繋ぐ連結部（２２）を有し、前記一対の板状部に挟まれる前記空間に前記電線を導入する入口部（２６）と、導入した前記電線を前記所定向きに案内しながら導出する出口部（２８）と、を前記一対の板状部の周縁部分に画成し、前記ハウジングに係合して装着時と逆向きのスライドを規制する第１係止部（３３）と、前記ハウジングに係合して装着後に前記一対の板状部の間の距離が広がることを規制する第２係止部（３５）と、を有し、
前記第１係止部（３３）は、
装着時に前記ハウジングの外壁面よりも外側に位置する箇所に設けられ、
前記第２係止部（３５）は、
前記第１係止部よりも前記出口部に近い箇所に設けられる、
コネクタ。
（２）
上記（１）に記載のコネクタにおいて、
前記カバー（２０）が、
前記第１係止部（３３）と前記第２係止部（３５）との間の箇所に、前記板状部の縁から延びるスリット形状の開口部（３１）を有する、
コネクタ。
（３）
上記（２）に記載のコネクタにおいて、
前記第１係止部（３３）が、
前記開口部（３１）に隣接するように前記板状部に設けられた、
コネクタ。
（４）
上記（３）に記載のコネクタにおいて、
前記カバー（２０）が、
前記開口部（３１）を挟んで前記第１係止部（３３）と反対側の所定箇所に、該カバーと前記ハウジングの外壁面との間の隙間を小さくするように該カバーの内壁面に設けられた突起部（３４）を有する、
コネクタ。
【符号の説明】
【００４７】
１    コネクタ
１０    ハウジング
２０    カバー
２１    板状部
２２    連結部
２４    空間
２６    入口部
２８    出口部
３１    スリット（開口部）
３３    第４突起（第１係止部）
３４    第５突起（突起部）
３５    隆起部（第２係止部）
【図１】
2019009007.tif 000003
【図２】
2019009007.tif 000004
【図３】
2019009007.tif 000005
【図４】
2019009007.tif 000006
【図５】
2019009007.tif 000007
【図６】
2019009007.tif 000008
【図７】
2019009007.tif 000009
【図８】
2019009007.tif 000010